(57)【要約】      （修正有）【課題】洗濯をした後のフード付被服のフードの形状を崩さずに干すことができ、また、風でフードが煽られても当該フードがフード付被服用ハンガー補助具から外れないようにする。【解決手段】フード付被服のフードに挿入され、フードの立体形状を保持するように形成されたフード支持体１０と、一端側にフード付被服の身頃が掛けられるハンガー２００と係合するためのハンガー係合部２３が設けられると共に他端側には物干し竿等に吊るすためのハンガーフック部２１が設けられたハンガーフック体２０と、を少なくとも備えているハンガーと組み合わせて使用されるフード付被服用ハンガー補助具１であって、ハンガーフック体は、フード支持体に接続可能であり、且つフードの一端を挟持可能にするフード挟持部２２を有していることを特徴とする。【選択図】図１
0003101916.tif 000002
【実用新案登録請求の範囲】
【請求項１】
フード付被服のフードに挿入され、該フードの立体形状を保持するように形成されたフード支持体と、一端側に該フード付被服の身頃が掛けられるハンガーと係合するためのハンガー係合部が設けられると共に他端側には物干し竿等に吊るすためのハンガーフック部が設けられたハンガーフック体と、を少なくとも備え、ハンガーと組み合わせて使用されるフード付被服用ハンガー補助具であって、
該ハンガーフック体は、該フード支持体に取り付け取り外しが可能であり、且つ該フードの一端を挟持可能にするフード挟持部を有していることを特徴とするフード付被服用ハンガー補助具。
【請求項２】
請求項１に記載のフード付被服用ハンガー補助具において、
前記ハンガーフック体は、前記ハンガーフック部と、前記ハンガー係合部と、そして前記フード挟持部と、に少なくとも分離可能であることを特徴とするフード付被服用ハンガー補助具。
【請求項３】
請求項１又は２に記載のフード付被服用ハンガー補助具において、
前記ハンガー係合部は、前記ハンガーを掛けるための孔を一つ又は複数有していることを特徴とするフード付被服用ハンガー補助具。
【考案の詳細な説明】
【技術分野】
【０００１】
本考案は、ハンガーと組合わされて使用されるフード付被服用ハンガー補助具に関し、より詳細には、洗濯をした後のフード付被服のフードの形状を崩さずに干すことができ、また、風でフードが煽られても当該フードがフード付被服用ハンガー補助具からずり落ちないようにしたフード付被服用ハンガー補助具に関する。
【背景技術】
【０００２】
従来から、フード付の被服はデザインのバリエーションが豊富で、また、機能的であることから人気があり、幅広い年齢層の需要者に多く売れている。しかし、一般的にフード部分は他の部分に比べて厚手の生地を使用している場合が多く、また、洗濯した当該被服を干す場合に、フードが垂れ下がって被服と密着し風通しが悪くなり、当該フード部分はより多くの乾燥時間が必要になるという問題がある。そこで、これらの問題を解決するため、フード付被服を効果的に干すためのハンガー又はハンガー補助具が幾つか発明又は考案されている。
【０００３】
まず、特開２００２−８５２３８号にはフード付き被服用ハンガー補助具が開示されている（特許文献１を参照）。特許文献１は、フードを掛けるためのスライド片と、当該フードを押さえて固定するためのフード支持体と、フード付き被服が掛けられたハンガーを係止するためのハンガー引掛片を備えたフード付き被服用ハンガー補助具である。このハンガー補助具は、フード付き被服を干す際にハンガー引掛片にフード付き被服を掛けたハンガーをさらに掛けるものである。また当該フードをスライド片に掛けると共に、フード支持体とスライド片との間に挟み込むようにして、フードがフード支持体から外れないように支持することができるようにされている。従って、フードを広げた状態で干すことができ、フードを垂れ下がった状態で干す場合よりも早く乾燥させることができる。
【０００４】
また、特開２０００−３００４１７号にフード付き衣類用ハンガーが開示されている（特許文献２を参照）。特許文献２はフード付き衣類用ハンガーであるが、略リング状に形成されたフード掛け部と、ストッパー受けと、吊り杆移動防止部と、を備えて構成されている。また、吊り杆にハンガー掛け部を有し、そのハンガー掛け部にフード付き被服が掛けられたハンガーを掛け、フードを略リング状に形成された前記フード掛け部に掛けるようにされている。これによって、通常のハンガーに掛けられたフード付被服を当該ハンガー掛け部に吊してフードを略リング状のフード掛け部に掛けることによって、洗濯をした後のフードの型崩れを防止し、また、フードが被服と密着しない状態で乾かすことができるので、乾燥の遅れを防止できるものである。
【０００５】
【特許文献１】特開２００２−８５２３８号公報  （第２〜３頁、第１、２図）
【特許文献２】特開２０００―３００４１７号公報  （第２頁、第２、６図）
【０００６】
しかし、特許文献１に記載の発明は、当該フードを平面的に広げるものであるため、あまり乾燥時間を短縮することができない。
また、特許文献２に記載の発明は、略リング状のフード掛け部にフードを掛けて支持されるようにされているため、フード掛け部のリング状の型がフードに残ってしまうという問題がある。さらに、当該ハンガーにはフードを押さえる機構がなく、強い風が吹くとフードがフード掛け部から外れてしまうという問題がある。また、フードがリング状のフード掛け部よりも大きいと、フード掛け部から出たフードの折り返し部分が乾燥し難いという問題がある。
【考案の開示】
【考案が解決しようとする課題】
【０００７】
そこで本考案は、フード付被服用ハンガー補助具に関し、より詳細には、洗濯した後のフード付被服を乾燥させる際に、フードの型崩れを防止することができるフード付被服用ハンガー補助具を提供する。また、風に吹かれてフードが当該補助具のフード支持体から外れないように、フードの形を保持して当該フードを支持できるようにしたフード付被服用ハンガー補助具を提供する。
【課題を解決するための手段】
【０００８】
上記課題を解決するために、請求項１に記載の考案は、フード付被服のフードに挿入され、フードの立体形状を保持するように形成されたフード支持体と、一端側にフード付被服の身頃が掛けられるハンガーと係合するためのハンガー係合部が設けられると共に他端側には物干し竿等に吊るすためのハンガーフック部が設けられたハンガーフック体と、を少なくとも備え、ハンガーと組み合わせて使用されるフード付被服用ハンガー補助具であって、ハンガーフック体は、フード支持体に取り付け取り外しが可能であり、且つフードの一端を挟持可能にするフード挟持部を有していることを特徴とするフード付被服用ハンガー補助具を提供する。
【０００９】
また、上記課題を解決するために、請求項２に記載の考案は、請求項１に記載のフード付被服用ハンガー補助具において、ハンガーフック体は、ハンガーフック部と、ハンガー係合部と、そしてフード挟持部と、に少なくとも分離可能であることを特徴とする。
【００１０】
さらに、上記課題を解決するために、請求項３に記載の考案は、請求項１又は２に記載のフード付被服用ハンガー補助具において、ハンガー係合部は、ハンガーを掛けるための孔を一つ又は複数有していることを特徴とする。
【考案の効果】
【００１１】
以上説明したように、本考案によるフード付被服用ハンガー補助具によれば、洗濯した後のフード付被服を乾燥させる際に、フードの型崩れを防止することができる効果を有する。また、フードの一端を、フード挟持部により挟持できるので、フード支持体から外れないように、フードの形を保持して当該フードを支持できるようになる効果を有する。
【考案を実施するための最良の形態】
【００１２】
以下、本考案に係るフード付被服用ハンガー補助具を図面に基づいて詳細に説明する。
図１は、本考案に係るフード付被服用ハンガー補助具１の第一の実施形態を示す概略斜視図である。
まず、本考案に係るフード付被服用ハンガー補助具１は、フードの立体形状を保持した状態で干すことができるようにした補助具である。フードを型崩れさせないで、且つ、その立体形状を保持して干すためのフード支持体１０と、ハンガーフック体２０と、を備えて構成されている。尚、図１では、フード付被服用ハンガー補助具１は、物干し竿３００に吊るされていて、且つハンガー２００を吊るすところを示している。
【００１３】
まず、フード支持体１０について、図を用いて説明する。フード支持体１０は、挟持体係合部１１と、フード係止部１２と、円錐面部１３と、通気孔１４と、開口部１５と、を備えている（図２参照）。フード支持体１０の平面図を図２（ａ）に、側面図を図２（ｂ）に示す。
【００１４】
図１に示すように、フード支持体１０は、底面が開口した半円錐形状で、内側は中空となっている。また、材質は、ポリプロピレン等の合成樹脂で一体成型している。しかし、本考案は、合成樹脂以外に、耐水性及び耐腐食性がある樹脂又は非鉄金属から製造されることを排除するものではない。また、本考案は、一体成型以外に、各部分を独立に作製し、結合して、一体とすることを排除するものではない。さらに、本考案は、各部分を、異なる素材により作製するようにしても良い。
【００１５】
挟持体係合部１１は、フード支持体１０の円錐面部１３に連続してフード係止部１２から突出するように、半円形状に形成されている。そして、挟持体係合部１１の断面は長方形である。しかし、本考案は、断面が正方形、円形、楕円形であることを排除するものではない。挟持体係合部１１には、後述するフード挟持部２２が一つ又は複数個、挟むように係合する。その係合する箇所は、図示しないが係合に適した形状となっている。具体的には、挟持体係合部１１は半円形状で概ね曲面であるが、係合する箇所は平面となっている。これにより、後述するフード挟持部２２が適切に係合するようになっている。しかし、本考案は、係合する箇所を平面にすることに限定するものではなく、その形状はフード挟持部２２との関係で適切に且つ確実に係合することが出来ればよい。尚、挟持体係合部１１が突出している長さは、３〜５ｃｍであることが望ましい。
【００１６】
フード係止部１２は、円錐面部１３と挟持体係合部１１との境界であり、これらに垂直に立っている。そして、フード係止部１２の断面は長方形である。しかし、本考案は、断面が正方形、円形、楕円形であることを排除するものではない。本第一の実施形態では、上記したように、合成樹脂によりフード支持体１０は一体成型されているので、フード係止部１２は円錐面部１３や挟持体係合部１１と、一体であり且つ同じ素材から出来ている。しかし、本考案はフード係止部１２をゴム系の素材であり、且つ滑りにくい素材から作製するようにしても良い。これは、当該フード係止部１２にフード付被服４００のフード４０１の端部が覆い被らせられ、支持されるためである。尚、フード係止部１２の長さは、３〜５ｃｍであることが望ましい。また、本考案は、フード係止部１２を設けないことを排除するものではない。フード係止部１２を設けない場合には、挟持体係合部１１と円錐面部１３との境界は不明瞭であるが、この点を本考案は問題としない。
【００１７】
円錐面部１３は、滑らかな形状をし、挟持体係合部１１から離れるに従って収縮する形状をしていて、球又は楕円球の約４分の１の形状をしている。円錐面部１３には、風通しをよくするための通気孔１４が複数設けられている。本第一の実施形態では、通気孔１４は、細長く、挟持体係合部１１から離れるに従い狭くなる形状となっている。しかし、本考案は、通気孔１４の形状をこれに限定するものではなく、円形、楕円形、角形等、他の形状を排除するものではない。
【００１８】
開口部１５は挟持体係合部１１及び円錐面部１３により囲まれる空間であり、二面を開放している。しかし、本考案は、底面を設けることや、フード係止部１２に連続する面を設けることを排除するものではない。尚、フード係止部１２に連続する面を設ける場合には、開口部１５に突出する面の長さを１〜５ｃｍにするのが良い。欠損防止のためである。
【００１９】
次に、ハンガーフック体２０について、図３を用いて説明する。ハンガーフック体２０は、ハンガーフック部２１と、フード挟持部２２と、ハンガー係合部２３と、を備えて構成されている（図３参照）。尚、図３では、これらの部材を一体として作製したハンガーフック体２０の一例を示している。
【００２０】
ハンガーフック体２０は、物干し竿３００等に吊るすハンガーフック部２１と、フード支持体１０に係合するフード挟持部２２と、ハンガー係合部２３とが直列に繋がっている。また、ポリプロピレン等の合成樹脂で成型し、ハンガーフック部２１と、フード挟持部２２と、ハンガー係合部２３とを概ね一体成型している。このようにして作製したハンガーフック体２０を図３に示している。しかし、本考案は、ハンガーフック体２０をＡｌ合金やＭｇ合金等の金属で一体成型することを排除するものではない。また、それぞれの部材を異なる素材を用いて製造して、組み合わせて用いることを本考案は排除するものではない。
【００２１】
ハンガーフック部２１は、物干し竿等に吊るす部分であり、物干し竿等に係合させるに適した形状となっている。それ故、本考案は、図３に示した形状以外に、物干し竿等に吊るすことが可能である形状であればいずれであっても良い。
【００２２】
フード挟持部２２は、挟持体係合部１１に挟むようにして係合する。そして、フード挟持部２２は、挟持体係合部１１に取り付け取り外しが可能である。フード挟持部２２は、上面部２２ａと、下面部２２ｂと、奥部２２ｃと、挟持部２２ｄと、つまみ２２ｅ、２２ｅと、開口部２２ｆとを少なくとも備えている。上面部２２ａと、下面部２２ｂと、そして奥部２２ｃとにより囲まれていて、三面が開放している空間が開口部２２ｆである。また、上面部２２ａの一端に挟持部２２ｄが備えられていて、当該挟持部２２ｄにはフード付被服４００のフード４０１を挟持するための凹凸が設けられている。しかし、本発明は、挟持部２２ｄを備えないことを排除するものではなく、フード付被服４００のフード４０１の端部が風等で外れない程度に支えることが出来れば良い。例えば、挟持部２２ｄを備えない場合、開口部２２ｆでフード４０１の端部を挟むようにしても良い。また、挟持部２２ｄの凹凸を設けないことを本発明は排除しない。尚、挟持部２２ｄを前方から、又は奥部２２ｃ側から見たときの挟持部２２ｄの幅は、３〜４ｃｍであるのが好ましい。
【００２３】
一方、上面部２２ａ及び下面部２２ｂには、つまみ２２ｅ、２２ｅがそれぞれ備わっている。図では、つまみ２２ｅは、奥部２２ｃに近い上面部２２ａ、下面部２２ｂに設けられている。しかし、上面部２２ａ、下面部２２ｂの反対側の端部近傍からつまみ２２ｅ、２２ｅが始まるようにすることを排除するものではない。もちろん、この場合、ハンガーフック部２１やハンガー係合部２３の周囲を通るような形状につまみ２２ｅをするのが良い。また、つまみ２２ｅはプレートのようになっているが、線材を曲げた形状等にしても良い。つまみ２２ｅ、２２ｅをそれぞれ図３の矢印Ａ又は矢印Ｂの方向に動かし、互いの間隔が狭くなるようにすると開口部２２ｆが大きく開き、広くなるようにすると開口部２２ｆが狭くなるように設計されている。この仕組みは、一般に市販されているクリップと同じである。しかし、本考案は、この仕組み以外に、奥部２２ｃを起点として梃子の原理で開口するようにする汎用されている洗濯バサミのような仕組み等を排除するものではない。すなわち、容易にフード支持体１０の挟持体係合部１１に係合可能な仕組みであればよく、挟むこと以外に嵌合、螺合等の仕組みを用いることにより達成されても良い。尚、フード挟持部２２は、図３において、上面部２２ａにハンガーフック体２１が、下面部２２ｂにハンガー係合部２３が繋がっている。
【００２４】
ハンガー係合部２３は、フード付被服の身頃を掛けるハンガーを吊るす孔２３ａを少なくとも一つ有している。しかし、本考案は孔２３ａ以外に、ハンガー２００を吊るすことが出来る他の係合部材を排除するものではない。また、図３では、ハンガー係合部２３に、孔２３ａを一つしか設けていないが、複数であっても良い。複数の孔２３ａを直列に設けていずれかの孔にハンガー２００を吊るすことにより、フード挟持部２２とハンガー２００との長さを変化させて用いることが出来るようになる。これにより、フード付被服のサイズに合わせて本考案を適用可能になる。
【００２５】
上記第一の実施形態のフード付被服用ハンガー補助具１のフード支持体１０とハンガーフック体２０を組み合わせた状態を図示したのが図１である。フード付被服の身頃をハンガー２００に掛けて、且つそのフードをフード支持体１０に掛けることにより、フードの立体形状を保持した状態で干すことができるようになる。尚、フードが風等でフード支持体１０から外れないようにする仕組みを次に説明する。
【００２６】
上記第一の実施形態のフード付被服用ハンガー補助具１に、フード付被服を掛けた状態におけるフード挟持部２２を中心とした断面図を図４に示す。図４では、フード支持体１０の挟持体係合部１１に、ハンガーフック体２０のフード挟持部２２の開口部２２ｆが係合している。そして、挟持体係合部１１とフード挟持部２２の挟持部２２ｄの間にフード付被服４００のフード４０１の端部が挟まれている。すなわち、第一の実施形態におけるフード付被服用ハンガー補助具１により、フード４０１の立体形状を保持した状態で干し、且つ風等の強い悪天候の中でも確実にフードを当該フード付被服用ハンガー補助具１に掛けておくことが出来るようになる。尚、フード４０１の端部は、滑らかな曲線等であるフード係止部１２に掛けられ、且つ挟持体係合部１１と挟持部２２ｄの間に挟持されているだけなので、フードに当該フード付被服用ハンガー補助具１を用いた跡が残らない。
【００２７】
上記第一の実施形態において、ハンガーフック部２１はフード挟持体２２の上面部２２ａに接続されており、またハンガー係合部２３は、下面部２２ｂに接続されているとした。すなわち、ハンガーフック部２１と、ハンガー係合部２３はフード挟持体２２を介して間接的に一つの部材となっているが、直接的に連続した一つの部材とはなっていない。しかし、本発明は、ハンガーフック部２１とハンガー係合部２３が直接的に連続した一つの部材からなることを排除するものではない。ここで、ハンガーフック部２１とハンガー係合部２３を直接的に連続した一つの部材としたハンガーフック体２０を用いたフードの挟持の仕組みを説明するための断面図を図５に示す。
【００２８】
図５に示した、ハンガーフック体２０では、ハンガーフック部２１とハンガー係合部２３とが直接的に連続した一つの部材となっている。ハンガーフック部２１は上面部２２ａの孔２２ｈを挿通している。また、ハンガー係合部２３は、下面部２２ｂの孔２２ｈを挿通している。そして、開口部２２ｆにハンガーフック部２１とハンガー係合部２３の接続部Ｃが位置している。尚、ハンガーフック部２１とハンガー係合部２３とが一つになった部材の接続部Ｃは、孔２２ｈ、２２ｈを介して移動可能であるので、接続部Ｃは常に開口部２２ｆに位置するとは限らない。このように、孔２２ｈ、２２ｈを通してハンガーフック部２１とハンガー係合部２３とが一つになった部材は移動可能であるので、風が吹いても風の流れに従って向きを変えることが可能になる。そして、洗濯物が絡まるのを防ぐことが出来るようになる。
【００２９】
また、風が強く吹いても、ハンガーフック体２０がフード支持体１０から外れにくくするために、互いに係合するようにしても良い。そのため、図５に示したフード付被服用ハンガー補助具１のフード支持体１０とハンガーフック体２０とには、共に係合部が設けられている。フード支持体１０の挟持体係合部１１には、係合部１１ａ、１１ａが設けられている。また、フード挟持部２２の上面部２２ａと下面部２２ｂにはそれぞれ係合部２２ｉ、２２ｉが設けられている。そして、係合部１１ａ、１１ａと、係合部２２ｉ、２２ｉとは互いに着脱可能に係合される。尚、フード支持体１０とハンガーフック体２０とに設けられる係合部は互いに対応して係合可能であればよく、本発明は、数、大きさ、位置を限定しない。また、図５では、係合部１１ａが雌型で、係合部２２ｉが雄型であるが、その逆でも、これらの複合でも、又はこれらと異なる形状であっても良い。
【００３０】
さらに、図５に示したフード付被服用ハンガー補助具１のハンガーフック体２０の下面部２２ｂは、上面部２２ａよりも長くなっている。そして、フード係止部１２の下部にまで達している。これは、係合したハンガーフック体２０が、フード支持体１０から抜けにくくするためである。しかし、本発明は、長くする以外に、フード支持体１０とハンガーフック体２０との係合する箇所が互いに対応する形状とすることを排除するものではない。
【００３１】
また、図５に示したフード付被服用ハンガー補助具１のハンガーフック体２０の挟持部２２ｄでは、凹凸を有していない。そして、挟持部２２ｄの上部が下部に比べて数ｍｍ突出するように、挟持部２２ｄは少し斜めになっている。これにより、図５における挟持部２２ｄとフード係止部１２との間は、フード４０１の端部の先端側の空間の方が、先端より少し内側の空間よりも広くなっている。これにより、フードがより抜けにくくなる。これは、フードの先端は縫合されていることが多く、この縫合されている箇所は概して他の部分よりも厚くなっていることが多いことに基づくものである。尚、図５において、挟持部２２ｄとフード係止部１２との間の空間は、フード４０１の厚さよりも少し狭い空間となっているので、フードは風などにさらされてもさらに抜けにくくなる。また、さらにフード４０１の端部は、挟持体係合部１１と滑らかな挟持部２２ｄの間に挟持されているだけなので、フードに当該フード付被服用ハンガー補助具１を用いた跡がさらに残らないようになる。
【００３２】
ところで、上記第一の実施形態では、ハンガーフック体２０を、ハンガーフック部２１、フード挟持部２２、及びハンガー係合部２３を一体に成型している。しかし、本考案は、これらを分離独立して作製し、使用に供するようにすることとしても良い。分離独立して作製したハンガーフック体２０を用いた本考案に係るフード付被服用ハンガー補助具１の第二の実施形態を、図６及び図７を用いて説明する。尚、本第二の実施形態におけるフード支持体１０は、上記した本第一の実施形態におけるフード支持体１０（図２参照）と同じである。
【００３３】
まず、図６を用いて、本第二の実施形態におけるハンガーフック体２０について説明する。ハンガーフック体２０は、ハンガーフック部２１と、フード挟持部２２と、ハンガー係合部２３とが非使用時には分離独立している。そのため、これらを使用時に互いに係合可能にする部材が、それぞれに設けられている。
【００３４】
ハンガーフック部２１と、ハンガー係合部２３とは、フード挟持部２２を介して接続される。それ故、図６のフード挟持部２２の上面部２２ａ及び下面部２２ｂには、接続係合部２２ｇ、２２ｇがそれぞれ設けられている。但し、図６では、上面部２２ａの穴２２ｈに突出している接続係合部２２ｇと下面部２２ｂの穴２２ｈに突出している接続係合部２２ｇは一本に繋がって接続中継部２２ｊを形成している。これにより、図６において、フード挟持部２２を介してハンガーフック体２１及びハンガー係合部２３を組み合わせて用いることが出来るようになる。尚、接続係合部２２ｇ、２２ｇは、共にリングである。しかし、本考案はこれ以外の係合部材からなることを排除するものではない。また、本考案は、上面部２２ａや下面部２２ｂに直接、接続係合部２２ｇ、２２ｇを設けることを排除するものではない。
【００３５】
これに対して、ハンガーフック部２１や、ハンガー係合部２３には、それぞれ接続係合部２２ｇに接続する接続部が備わっている。本第二の実施形態のハンガーフック部２１には、接続係合部２１ｇが備わっている。また、ハンガー係合部２３にも、接続係合部２３ｇが備わっている。これらの接続係合部２１ｇ、２３ｇは、共に同じ形状であり、リングである接続係合部２２ｇ、２２ｇに接続可能なフックとなっている。しかし、本考案は、これ以外の係合部材からなることを排除するものではない。但し、フード挟持部２２の接続係合部２２ｇ、２２ｇに接続される接続係合部材２１ｇ、２３ｇは、いずれも容易に取り付け、及び取り外しが可能である。尚、本第二の実施形態におけるハンガー係合部２３は、フード付被服の身頃を掛けるハンガーを吊るす孔２３ａを二つ有している。もちろん、本考案は、１つであったり、２つ以上であったりすることを排除しない。
【００３６】
本第二の実施形態におけるフード支持体１０（図２参照）とハンガーフック体２０（図６参照）からなるフード付被服用ハンガー補助具１を用いてフード付被服を干している状態を表したのが、図７である。図７では、フード支持体１０にハンガーフック体２０を係合させている。そして、ハンガーフック体２０のハンガーフック部２１を物干し竿３００に吊るしている。また、ハンガー係合部２３の下の孔２３ａにフード付被服４００を掛けているハンガー２００が吊るされている。これは、フード付被服４００が大人用であり、大きいサイズであることを示している。フード支持体１０に掛けられたフード４０１の端部は、上記した本第一の実施形態で図４を用いて説明したように挟持されている。さらに、ハンガーフック体２０のフード挟持部２２でフード４０１の端部が挟持されるのみならず、他の二箇所でも挟持されている。他の二箇所での挟持には、フード挟持部２２のみが用いられている。もちろん、挟持する仕組みは、図４を用いて説明した通りである。但し、本第二の実施形態において、上記した本第一の実施形態と同じフード支持体１０を用いたので、他の二箇所は、曲線のままである。しかし、本考案は、本第二の実施形態のようにフード支持体１０の挟持する箇所を平らにすることとしても良い。もちろん、挟持する箇所は計３箇所ではなく、これ以上でもこれ以下でも良い。また、他の二箇所の挟持部材を異なる部材としても良い。
【００３７】
以上、本考案に係るフード付被服用ハンガー補助具を、実施の形態に基づき説明した。しかし、上記本第一の実施形態や上記本第二の実施形態で示した形状及び挟持の仕組みに本考案は限定しない。挟持に際して、上記本第一の実施形態や上記本第二の実施形態では挟み支持することにより摩擦力でフードを支えた。しかし、これ以外に、針でフードをフード支持体に係止することや、フード挟持部２１で直接挟むことや、フード支持体１０の引っ掛ける仕組み等により着脱式に係止することを、フードを保持する仕組みとして用いるようにしても良い。最後に、本考案は、上記した実施形態を種々に組み合わせることが可能である。
【図面の簡単な説明】
【００３８】
【図１】本考案の第一の実施形態に係るフード付被服用ハンガー補助具の概略斜視図である。
【図２】図１のフード付被服用ハンガー補助具のフード支持体の図面であり、（ａ）はフード支持体の平面図であり、（ｂ）はその側面図である。
【図３】図１のフード付被服用ハンガー補助具のハンガーフック体を表す概略斜視図である。
【図４】図１のフード付被服用ハンガー補助具を用いたフードの挟持の仕組みを説明するための断面図である。
【図５】図３に示した本考案の第一の実施形態に係るフード付被服用ハンガー補助具とは異なる他の一態様であるハンガーフック体を説明するための断面図である。
【図６】本考案のフード付被服用ハンガー補助具の第２の実施形態のハンガーフック体を表す概略斜視図である。
【図７】本考案の第二の実施形態におけるフード付被服用ハンガー補助具の使用状態を表す概略斜視図である。
【符号の説明】
【００３９】
１  フード付被服用ハンガー補助具
１０  フード支持体
１１  挟持体係合部        １１ａ  係合部
１２  フード係止部        １３  円錐面部
１４  通気孔              １５  開口部
２０  ハンガーフック体
２１  ハンガーフック部
２１ｇ  接続係合部
２２  フード挟持部
２２ａ  上面部      ２２ｂ  下面部      ２２ｃ  奥部
２２ｄ  挟持部      ２２ｅ  つまみ
２２ｆ  開口部      ２２ｇ  接続係合部
２２ｈ  孔          ２２ｉ  係合部
２２ｊ  接続中継部
２３  ハンガー係合部
２３ａ  孔          ２３ｇ  接続係合部
２００  ハンガー
３００  物干し竿
４００  フード付被服      ４０１  フード
【図１】
0003101916.tif 000003
【図２】
0003101916.tif 000004
【図３】
0003101916.tif 000005
【図４】
0003101916.tif 000006
【図５】
0003101916.tif 000007
【図６】
0003101916.tif 000008
【図７】
0003101916.tif 000009